(57)【要約】【課題】良好な外観を有すると共に利便性がよく、かつ耐久性の高い電磁調理器用容器を提供する。【解決手段】容器状に形成された容器本体２に、発熱プレート３を略収容する収容空間７を内方に有する環状の台座部８を一体に形成し、この収容空間７に発熱プレート３を収容した状態で、台座部８に形成した第１〜第４の穴部分１０〜１３に、第１及び第２の長尺部材１６、１７を引っ掛け、これら第１及び第２の長尺部材１６、１７で発熱プレート３を下方から当接支持する。【選択図】図２
2012157601.tif 000002
【特許請求の範囲】
【請求項１】
底部分とこの底部分の周囲から一方側へ延設された側壁部分とで容器状に形成された容器本体と、
前記容器本体の底部分の外側に位置され電磁調理器で発生させられる磁界によって発熱する発熱プレートと、
前記発熱プレートを前記容器本体に対して固定すると共に当該容器本体を電磁調理器上で支持可能に構成された固定手段と、を備えていることを特徴とする電磁調理器用容器。
【請求項２】
前記固定手段は、前記容器本体を電磁調理器上で支持するように当該容器本体の底部分の外側面から他方側へ突出され、前記発熱プレートを略収容する収容空間を内方に有する環状の台座部と、
前記台座部の収容空間で前記発熱プレートを他方側から当接支持可能に形成された支持具と、を備えており、
前記台座部には、前記支持具の一部を当該台座部に引っ掛けるための引っ掛け部が形成され、当該支持具の一部がこの引っ掛け部に引っ掛けられて前記発熱プレートが当該支持具によって着脱自在に支持されていることを特徴とする請求項１に記載の電磁調理器用容器。
【請求項３】
前記台座部の引っ掛け部は、前記発熱プレートの周囲に沿って所要間隔をおいて形成された複数の穴部分からなり、前記支持具は、前記複数の穴部分のうちの何れかに両端部分を挿入させた弾性変形可能な複数の長尺部材で構成されていることを特徴とする請求項２に記載の電磁調理器用容器。
【請求項４】
前記台座部の引っ掛け部は、前記発熱プレートの外面よりも前記一方側で当該発熱プレートの周囲に沿って所要間隔をおいて形成された互いに向き合う第１、第２の穴部分と、互いに向き合う第３、第４の穴部分とからなり、
前記支持具は、前記第１の穴部分に一端部分を挿入させ且つ前記第２の穴部分に他端部分を挿入させ当該第１、第２の穴部分間に掛け渡された弾性変形可能な第１の長尺部材と、前記第３の穴部分に一端部分を挿入させ且つ前記第４の穴部分に他端部分を挿入させ当該第３、第４の穴部分間に掛け渡された弾性変形可能な第２の長尺部材とからなり、
前記第１の長尺部材及び前記第２の長尺部材が弾性変形され、前記発熱プレートが、当該第１の長尺部材及び当該第２の長尺部材の弾性力によって前記容器本体の底部分へ押し当てられていることを特徴とする請求項２に記載の電磁調理器用容器。
【請求項５】
前記台座部の引っ掛け部は、前記発熱プレートの周囲に沿って所要間隔をおいて形成された複数の穴部分からなり、前記支持具は、前記複数の穴部分のうちの何れかに一端部分を挿入させた複数の長尺部材を連結した連結体からなることを特徴とする請求項２に記載の電磁調理器用容器。
【請求項６】
前記複数の穴部分は、前記台座部に形成された第１、第２、及び第３の穴部分からなり、前記連結体は、前記第１、第２、及び第３の穴部分にそれぞれ一端部分を挿入させた第１、第２、及び第３の長尺部材の他端部分同士を互いに連結させて構成されていることを特徴とする請求項５に記載の電磁調理器用容器。
【請求項７】
前記支持具は、前記発熱プレートを前記容器本体の底部分へ押し当てるように前記一方側へ向けて湾曲状に形成されていることを特徴とする請求項２〜６のいずれかに記載の電磁調理器用容器。
【発明の詳細な説明】
【技術分野】
【０００１】
本発明は、電磁調理器に用いられ、当該電磁調理器の近傍に配置された発熱体を発熱させることによって食料品を加熱する電磁調理器用容器に関するものである。
【背景技術】
【０００２】
近年、安全性、経済性等の観点から、電磁調理器が広く使用されてきている。電磁調理器は、電磁コイルからの磁力線により渦電流を起こさせ、鉄等からなる発熱体に生じるジュール熱によって容器内部の食料品を加熱するものである。このような電磁調理器用の容器として、鉄やステンレスでできた金属製容器が一般に用いられる。しかし、鍋料理の場合には、その風合いなどの点から電磁調理器で発熱させることのできない土鍋が好まれる。そのため、発熱体を設けることで、電磁調理器に用いることができるようにした各種の土鍋が知られている。
【０００３】
例えば、容器本体自体に発熱体としての金属粉末や金属チップを混入させた土鍋（例えば、特許文献１参照）、容器本体の内側底部に発熱体としての金属板を載置させた土鍋（例えば、特許文献２参照）、容器本体の内側底面等にアルミニウムからなる発熱層をコーティングした土鍋（例えば、特許文献３参照）、容器本体の底部外側面に銀とガラスの混合物からなる導電性材料の発熱層を転写方式で形成させた土鍋（例えば、特許文献４参照）が知られている。
【先行技術文献】
【特許文献】
【０００４】
【特許文献１】特開２００６−２４７０８５号公報
【特許文献２】特許第４２４８４４９号公報
【特許文献３】実用新案登録第３１５７０３３号公報
【特許文献４】特開２００９−７８０５７号公報
【発明の概要】
【発明が解決しようとする課題】
【０００５】
特許文献１の土鍋では、金属粉末等を混入させるため、色合いが悪くなるなど、土鍋の風合いを損ねるおそれがある。特許文献２の土鍋では、容器本体の中に金属板を入れた状態で調理するため、上から金属板が見えて外観が悪くなり、その上、容器本体を洗うときに金属板も併せて洗わなければならず不便である。特許文献３の土鍋では、調理の際に容器本体の底を箸等でつついたりすることもあるため、容器本体の内側底面等にコーティングされた発熱層を剥がしてしまうおそれがある。特許文献４の土鍋では、発熱層を形成させた底部外側面に接触物があると、当該発熱層をそれにより剥がしまうおそれがある。さらに、発熱層が容器本体の内外に設けられたこれら特許文献３及び特許文献４の土鍋では、容器本体と発熱層との熱膨張率の差によっても、当該発熱層の剥がれを生じさせてしまうおそれがある。従って、これら発熱層が設けられたものでは、土鍋の耐久性を低下させてしまうという問題がある。
【０００６】
そこで本発明は、上記従来技術の問題点に鑑み、良好な外観を有すると共に利便性がよく、かつ耐久性の高い電磁調理器用容器を提供することを目的とする。
【課題を解決するための手段】
【０００７】
上記目的を達成するため、次の技術的手段を講じた。
即ち、本発明の電磁調理器用容器は、底部分とこの底部分の周囲から一方側へ延設された側壁部分とで容器状に形成された容器本体と、前記容器本体の底部分の外側に位置され電磁調理器で発生させられる磁界によって発熱する発熱プレートと、前記発熱プレートを前記容器本体に対して固定すると共に当該容器本体を電磁調理器上で支持可能に構成された固定手段と、を備えていることを特徴とするものである。
【０００８】
上記の電磁調理器用容器とすれば、電磁調理器によって発熱する発熱プレートが、容器本体の底部分の外側の位置で当該容器本体に対して固定されているため、土鍋とした場合には、容器本体の色合いはそのままで風合いを損ねることはなく、発熱プレートが容器本体の上から見えることもない。発熱プレートは、容器本体の外側に存在するため、調理の度に当該発熱プレートを洗う必要はない。さらに、発熱層を利用するものではないため、当該発熱層の剥がれという問題は生じない。
【０００９】
前記固定手段は、前記容器本体を電磁調理器上で支持するように当該容器本体の底部分の外側面から他方側へ突出され、前記発熱プレートを略収容する収容空間を内方に有する環状の台座部と、前記台座部の収容空間で前記発熱プレートを他方側から当接支持可能に形成された支持具と、を備えており、前記台座部には、前記支持具の一部を当該台座部に引っ掛けるための引っ掛け部が形成され、当該支持具の一部がこの引っ掛け部に引っ掛けられて前記発熱プレートが当該支持具によって着脱自在に支持されていることが好ましい。
【００１０】
この場合、支持具の一部が台座部の引っ掛け部に引っ掛けられて発熱プレートが当該支持具によって着脱自在に支持されるため、支持具を台座部の引っ掛け部に引っ掛けることで発熱プレートを容器本体に対して固定でき、また、支持具を台座部の引っ掛け部から外すだけで、発熱プレートを外すことができる。これにより、利便性を向上させることができる。
【００１１】
上記の台座部及び支持具としては、多様な構成を採用するができ、例えば、前記台座部の引っ掛け部は、前記発熱プレートの周囲に沿って所要間隔をおいて形成された複数の穴部分からなり、前記支持具は、前記複数の穴部分のうちの何れかに両端部分を挿入させた弾性変形可能な複数の長尺部材で構成されているものが挙げられる。この場合、複数の長尺部材だけで支持具を構成でき、安価に電磁調理器用容器を製作することができる。
【００１２】
前記台座部の引っ掛け部は、前記発熱プレートの外面よりも前記一方側で当該発熱プレートの周囲に沿って所要間隔をおいて形成された互いに向き合う第１、第２の穴部分と、互いに向き合う第３、第４の穴部分とからなり、前記支持具は、前記第１の穴部分に一端部分を挿入させ且つ前記第２の穴部分に他端部分を挿入させ当該第１、第２の穴部分間に掛け渡された弾性変形可能な第１の長尺部材と、前記第３の穴部分に一端部分を挿入させ且つ前記第４の穴部分に他端部分を挿入させ当該第３、第４の穴部分間に掛け渡された弾性変形可能な第２の長尺部材とからなり、前記第１の長尺部材及び前記第２の長尺部材が弾性変形され、前記発熱プレートが、当該第１の長尺部材及び当該第２の長尺部材の弾性力によって前記容器本体の底部分へ押し当てられているものが挙げられる。この場合、複数の長尺部材だけで支持具を構成でき、安価に電磁調理器用容器を製作することができることに加え、発熱プレートで発生した熱を効率良く容器本体へ伝えることができる。
【００１３】
さらに、前記台座部の引っ掛け部は、前記発熱プレートの周囲に沿って所要間隔をおいて形成された複数の穴部分からなり、前記支持具は、前記複数の穴部分のうちの何れかに一端部分を挿入させた複数の長尺部材を連結した連結体からなるものが挙げられる。この場合、支持具が、複数の長尺部材を連結した連結体からなるため、より安定した状態で発熱プレートを支持することができる。
【００１４】
前記複数の穴部分は、前記台座部に形成された第１、第２、及び第３の穴部分からなり、前記連結体は、前記第１、第２、及び第３の穴部分にそれぞれ一端部分を挿入させた第１、第２、及び第３の長尺部材の他端部分同士を互いに連結させて構成されていることが好ましい。この場合、より安定した状態で発熱プレートを支持できる支持具を、安価に製作することができる。
【００１５】
前記支持具は、前記発熱プレートを前記容器本体の底部分へ押し当てるように前記一方側へ向けて湾曲状に形成されていることが好ましい。この場合、発熱プレートが容器本体の底部分へ押し当てられているので、発熱プレートで発生した熱を効率良く容器本体へ伝えることができる。
【発明の効果】
【００１６】
上記の通り、本発明によれば、土鍋とした場合には、色合いはそのままで風合いを損ねることはなく、発熱プレートが上から見えることもないため、良好な外観を得ることができる。発熱プレートは、容器本体の外側に存在し、調理の度に当該発熱プレートを洗う必要はないため、利便性が高い。さらに、発熱層を利用するものではなく当該発熱層の剥がれという問題は生じないため、耐久性を向上させることができる。
【図面の簡単な説明】
【００１７】
【図１】本発明の第１実施形態に係る土鍋の底面図である。
【図２】図１のＡ−Ａ線断面図である。
【図３】（ａ）は長尺部材の正面図であり、（ｂ）は長尺部材の平面図である。
【図４】（ａ）は発熱プレートを入れる状態を示す中央断面図であり、（ｂ）は発熱プレートを長尺部材で固定する状態を示す中央断面図である。
【図５】本発明の第２実施形態に係る土鍋の底面図である。
【図６】本発明の第３実施形態に係る土鍋の底面図である。
【図７】図６のＢ−Ｂ線断面図である。
【図８】（ａ）は長尺部材の正面図であり、（ｂ）は長尺部材の平面図である。
【図９】支持具の変形例である。
【図１０】支持具をＹ字型とした場合の引っ掛け部の変形例である。
【発明を実施するための形態】
【００１８】
以下、本発明の実施形態について図面を参照して説明する。図１は、本発明の第１実施形態に係る電磁調理器用容器としての土鍋１の底面図であり、図２は、図１のＡ−Ａ線断面図である。本実施形態の土鍋１は、電磁調理器用として構成されたものであり、容器状に形成された容器本体２と、図示しない電磁調理器の磁界によって発熱する発熱プレート３と、この発熱プレート３を容器本体２に対して固定する固定手段４とで構成されている。なお、以下の説明において図２の上側に対応する側を単に上側とし、図２の下側に対応する側を単に下側とする。
【００１９】
容器本体２は、底部分５とこの底部分５から上方へ延設された側壁部分６とで一体的に形成されている。側壁部分６には２つの取手６ａが設けられている。底部分５は反りのない略円盤状とされており、側壁部分６は当該底部分５の周囲から上方に向かうに従って若干拡径するように形成されている。底部分５の外側には、当該底部分５の外側面５ａから下方へ突出すると共に、発熱プレート３を収容するための平面視円形状の収容空間７を内方に有する環状の台座部８が形成されている。この台座部８は、一般的な茶碗の高台のようなものであり、容器本体２の底部分５と略同じ直径寸法を有して当該容器本体２を電磁調理器上で支持できるようになっている。これら容器本体２と台座部８は、土鍋の製造において用いられる公知の陶石、石灰、粘土等の原料を焼成して、調理時の熱に耐え得るように一体に成形されたものである。
【００２０】
台座部８は、発熱プレート３を容器本体２に対して固定する上記固定手段４の一部を構成している。台座部８の内側部分８ａにおける図１左側には、互いに所要間隔をおいて当該台座部８の径外方向へ窪む第１、第２の穴部分１０、１１（引っ掛け部）が形成されており、当該内側部分８ａにおける図１右側には、互いに所要間隔をおいて当該台座部８の径外方向へ窪む第３、第４の穴部分１２、１３（引っ掛け部）が形成されている。このうち、第１の穴部分１０と第２の穴部分１１が互いに向き合う位置にあり、第３の穴部分１２と第４の穴部分１３が互いに向き合う位置にある。第１の穴部分１０と第２の穴部分１１、第３の穴部分１２と第４の穴部分１３がそれぞれ互いに向き合う位置にあれば、当該第１〜第４の穴部分１０〜１３の位置は限定されるものではない。
【００２１】
発熱プレート３は、所要厚みを有し台座部８の内径よりも一回り小さい円盤状に形成されており、容器本体２の底部分５の外側に位置されている。また、この発熱プレート３は、容器本体２の底部分５に近い直径寸法で形成されており、当該発熱プレート３で発生した熱を当該容器本体２へ効率良く伝えることができるようになっている。発熱プレート３は、電磁調理器の電磁コイルからの磁力線で生じた渦電流で発熱し得るような大きい電気抵抗をもつ導電性金属材料であれば、どのような素材で構成されていてもよい。このような発熱プレート３としては、例えば鉄やステンレス、又はステンレスやアルミニウム合金等の２種以上の異種金属を重ね合わせたクラッド材からなるものが挙げられる。
【００２２】
上記第１の穴部分１０と第２の穴部分１１間、及び第３の穴部分１２と第４の穴部分１３間に、それぞれ発熱プレート３を支持可能に構成された支持具１５としての第１及び第２の長尺部材１６、１７が掛け渡されている。図３（ａ）は、各長尺部材１６、１７の正面図であり、同図（ｂ）は、各長尺部材１６、１７の平面図である。これら長尺部材１６、１７は、互いに同形状かつ同寸法で、それぞれ第１の穴部分１０と第２の穴部分１１間や第３の穴部分１２と第４の穴部分１３間に掛け渡せる程度の長さで形成された細長板状のステンレス製のものである。
【００２３】
各長尺部材１６、１７は、弾性変形可能とされており、曲げられても元の形状に戻ることができるようになっている。各長尺部材１６、１７の両端部分ａ１、ａ２は、先細り状となっており、第１〜第４の穴部分１０〜１３に引っ掛け易くなっている。さらに、各長尺部材１６、１７の両端部分ａ１、ａ２を除く部分は、全体として図３（ａ）のように一方側へ湾曲されている。これら第１及び第２の長尺部材１６、１７と、第１〜第４の穴部分１０〜１３を有する台座部８とで、発熱プレート３を固定するための固定手段４が構成されている。各長尺部材１６、１７の形状は、発熱プレート３を支持し得る形状であれば限定されるものではなく、各長尺部材１６、１７の素材は、直火に耐え得ることができ弾性変形可能なものであれば限定されるものではない。
【００２４】
容器本体２の底部分５の外側の収容空間７に、発熱プレート３が収容されており、この状態で、第１の長尺部材１６の一端部分ａ１が第１の穴部分１０に引っ掛けられて挿入されると共に、他端部分ａ２が第２の穴部分１１に引っ掛けられて挿入され、当該第１の長尺部材１６が第１及び第２の穴部分１０、１１間に掛け渡されている。同様に、第２の長尺部材１７の一端部分ａ１が第３の穴部分１２に引っ掛けられて挿入されると共に、他端部分ａ２が第４の穴部分１３に引っ掛けられて挿入され、当該第２の長尺部材１７が第３及び第４の穴部分１２、１３間に掛け渡されている。各長尺部材１６、１７は、図２のように発熱プレート３を支持している状態では、頂部ｂ（図３（ａ）参照）を押されて弾性変形された状態となっている。これにより、発熱プレート３が、台座部８の収容空間７で第１及び第２の長尺部材１６、１７によって下方側から当接支持されている。
【００２５】
発熱プレート３を容器本体２に対して固定する手順を説明する。図４（ａ）は発熱プレート３を収容空間７に入れる状態を示す中央断面図であり、同図（ｂ）は発熱プレート３を各長尺部材１６、１７で固定する状態を示す中央断面図である。まず、図４（ａ）のように、容器本体２に形成された台座部８の収容空間７へ発熱プレート３を入れる。次に、図４（ｂ）のように、発熱プレート３が収容空間７に収まった状態で、第１の長尺部材１６の一端部分ａ１を台座部８の第１の穴部分１０に引っ掛け、当該第１の長尺部材１６で発熱プレート３を押さえつけながら、当該第１の長尺部材１６の他端部分ａ２を台座部８の第２の穴部分１１に引っ掛ける。
【００２６】
同様に、第２の長尺部材１７の一端部分ａ１を台座部８の第３の穴部分１２に引っ掛け、当該第２の長尺部材１７で発熱プレート３を押さえつけながら、当該第２の長尺部材１７の他端部分ａ２を台座部８の第４の穴部分１３に引っ掛ける。これにより、発熱プレート３は、容器本体２の底部分５へ押し当てられた状態となり、当該発熱プレート３で発生した熱を効率良く当該容器本体２へ伝えることができる。発熱プレート３を外したいときは、第１の長尺部材１６及び第２の長尺部材１７を撓ませながら、それらの端部分ａ１、ａ２を各穴部分１０〜１３から抜いて、当該発熱プレート３を収容空間７から取り出せばよい。以上のように、発熱プレート３は、第１及び第２の長尺部材１６、１７を含む固定手段４によって容器本体２に対して着脱自在に支持されている。
【００２７】
上記構成を有する土鍋１が、図示しない電磁調理器上に置かれ、当該電磁調理器の電磁コイルからの渦電流が容器本体２の底部分５で生じると、発熱プレート３にジュール熱が発生し、その熱によって容器本体２に入れられる食料品が加熱される。
【００２８】
上記本実施形態の土鍋１によれば、電磁調理器によって発熱する発熱プレート３が、容器本体２の底部分５の外側の位置で当該容器本体２に対して固定されているため、本実施形態のように土鍋とした場合には、色合いはそのままで風合いを損ねることはなく、発熱プレート３が上から見えることもない。これにより、良好な外観を得ることができる。発熱プレート３は、容器本体２の外側に存在するため、調理の度に当該発熱プレート３を洗う必要はなく、利便性を向上させることができる。さらに、発熱層を利用するものではなく、当該発熱層の剥がれという問題は生じないため、耐久性を向上させることができる。
【００２９】
第１及び第２の長尺部材１６、１７が台座部８の第１〜第４の穴部分１０〜１３に引っ掛けられて、発熱プレート３が着脱自在に支持されているため、第１及び第２の長尺部材１６、１７を台座部８の第１〜第４の穴部分１０〜１３に引っ掛けることで発熱プレート３を容器本体２に対して固定でき、また、第１及び第２の長尺部材１６、１７を台座部８の第１〜第４の穴部分１０〜１３から外すだけで、発熱プレート３を外すことができる。従って、発熱プレート３の着脱が非常に簡単となり、当該発熱プレート３の取り替え等をし易く、利便性を向上させることができる。また、第１及び第２の長尺部材１６、１７だけで発熱プレート３を支持する支持具１５を構成でき、安価に土鍋１を製作することができる。
【００３０】
図５は、本発明の第２実施形態に係る土鍋２０の底面図である。本実施形態が上記第１実施形態と異なる点は、支持具の形状が変更され、それに伴い複数の穴部分が変更されている点である。図示のように、台座部２１の内側部分２１ａには、発熱プレート３の周囲に沿って径外方向へ窪む第１、第２、及び第３の穴部分２２、２３、２４（引っ掛け部）が形成されている。支持具２５は、第１、第２、及び第３の長尺部材２６、２７、２８を連結させた連結体となっている。図５上側の第１及び第２の穴部分２２、２３は、それぞれ周方向に沿って長い長穴状となっており、当該第１及び第２の穴部分２２、２３の互いに近い側の端部分２２ａ、２３ａには、図５手前側へ開口する開口部ｋが形成されている。
【００３１】
第１〜第３の長尺部材２６〜２８は、それぞれ台座部２１の内半径寸法よりも若干大きい長さ寸法で形成された細長板状のステンレス製のものであり、弾性変形可能に構成されて、曲げられても元の形状に戻ることができるようになっている。各長尺部材２６、２７、２８の外端部分ｅ１は、先細り状となっており、上記の第１〜第３の穴部分２２〜２４に引っ掛け易くなっている。第１〜第３の長尺部材２６〜２８の各内端部分ｅ２は、互いに台座部２１の中心で接合されており、当該第１〜第３の長尺部材２６〜２８で構成された連結体としての支持具２５は、全体としてＹ字型となっている。支持具２５の３つの外端部分ｅ１が、台座部２１の第１〜第３の穴部分２２〜２４に引っ掛けられている。これにより、発熱プレート３が支持具２５に当接支持され、容器本体２に対して固定されている。支持具２５は、一方側（図５奥側）へ湾曲されており、発熱プレート３は、容器本体２の底部分５へ押し付けられた状態となっている。
【００３２】
上記のように連結体とされた支持具２５を、台座部２１に引っ掛けるには、まず、互いに連結された第１〜第３の長尺部材２６〜２８のうち第３の長尺部材２８の外端部分ｅ１を台座部２１の第３の穴部分２４に引っ掛ける。次に、第１及び第２の長尺部材２６、２７を互いに近づけるように撓ませて、第１及び第２の穴部分２２、２３の開口部ｋから入れ、それを当該第１及び第２の穴部分２２、２３の内部で元の形状へ戻すようにして引っ掛ける。このような支持具２５を採用することで、より安定した状態で発熱プレート３を支持することができ、しかも、安価に当該支持具２５を製作することができる。
【００３３】
図６は本発明の第３実施形態に係る土鍋３０の底面図であり、図７は図６のＢ−Ｂ線断面図である。本実施形態が上記第１実施形態と異なる点は、支持具の形状が変更されると共に、各穴部分の位置が変更され、さらに発熱プレートの形状が変更されている点である。以下、主に、第１実施形態と異なる点について説明する。台座部３８の内側部分３８ａにおける図６左側には、互いに所要間隔をおいて当該台座部３８の径外方向へ窪む第１、第２の穴部分３１、３２（引っ掛け部）が形成されており、当該内側部分３１ａにおける図６右側には、互いに所要間隔をおいて当該台座部３８の径外方向へ窪む第３、第４の穴部分３３、３４（引っ掛け部）が形成されている。第１〜第４の穴部分３１〜３４は、発熱プレート３５を容器本体２の底部分５へ押し当てた状態で、当該発熱プレート３５の外面３５ａよりも上側に位置されている。
【００３４】
発熱プレート３５は、所要厚みを有し台座部３８の内径よりも一回り小さく形成され、容器本体２の底部分５の外側に位置されている。この発熱プレート３５には、図６左右に２つずつの切欠部３５ｋが形成されており、当該発熱プレート３５は、中央の本体部分３５Ａと、本体部分３５Ａから図６左右方向へ突出する突出部分３５Ｂとで構成されている。
【００３５】
第１の穴部分３１と第２の穴部分３２間、及び第３の穴部分３３と第４の穴部分３４間に、それぞれ発熱プレート３５を支持可能に構成された支持具としての第１及び第２の長尺部材３６、３７が掛け渡されている。図８（ａ）は各長尺部材の正面図であり、同図（ｂ）は各長尺部材の平面図である。これら長尺部材３６、３７は、ステンレス製のものであり、互いに同形状かつ同寸法で、それぞれ第１の穴部分３１と第２の穴部分３２間や、第３の穴部分３３と第４の穴部分３４間に掛け渡せる程度の長さで、厚み：０．１〜０．３mmの細長板状に形成されている。
【００３６】
各長尺部材３６、３７は、弾性変形可能とされており、曲げられても元の形状に戻ることができるようになっている。各長尺部材３６、３７は、図８左右の両端部分ｃ１、ｃ２と、これら端部分ｃ１、ｃ２の中央側の屈曲部分ｄ１、ｄ２と、この屈曲部分ｄ１、ｄ２よりも幅広となっている中央の幅広部分ｅで構成されている。各長尺部材３６、３７の両端部分ｃ１、ｃ２は、先細り状となっており、第１〜第４の穴部分３１〜３４に引っ掛け易くなっている。
【００３７】
容器本体２の底部分５の外側の収容空間７に、発熱プレート３５が収容されており、この状態で、第１の長尺部材３６の一端部分ｃ１が第１の穴部分３１に引っ掛けられて挿入されると共に、他端部分ｃ２が第２の穴部分３２に引っ掛けられて挿入され、当該第１の長尺部材３６が第１、第２の穴部分３１、３２間に掛け渡されている。同様に、第２の長尺部材３７の一端部分ｃ１が第３の穴部分３３に引っ掛けられて挿入されると共に、他端部分ｃ２が第４の穴部分３４に引っ掛けられて挿入され、当該第２の長尺部材３７が第３、第４の穴部分３３、３４間に掛け渡されている。これにより、発熱プレート３５の外面３５ａに、各長尺部材３６、３７の幅広部分ｅが当接され、当該発熱プレート３５が、台座部３８の収容空間７で第１及び第２の長尺部材３６、３７によって下方側から当接支持されている。発熱プレート３５に、各長尺部材３６、３７の幅広部分ｅが当接されているため、当該発熱プレート３５を安定した状態で支持することができる。
【００３８】
各長尺部材３６、３７は、図７のように発熱プレート３５を支持している状態では、幅広部分ｅを押されて弾性変形された状態となっている。第１、第２の穴部分３１、３２及び第３、第４の穴部分３３、３４は、発熱プレート３５の外面３５ａよりも上側に位置されているため、弾性変形した第１及び第２の長尺部材３６、３７の弾性力によって、当該発熱プレート３５が、容器本体２の底部分５の外側面５ａへ強く押し当てられている。これにより、発熱プレート３５を、より確実に固定することができる。また、発熱プレート３５の各切欠部３５ｋで各長尺部材３６、３７の屈曲部分ｄ１、ｄ２が逃がされており、各長尺部材３６、３７の両端部分ｃ１、ｃ２を各穴部分３１〜３４へスムーズに引っ掛けて挿入することができる。
【００３９】
上記で開示した各実施形態は、本発明に係る電磁調理器用容器を例示したものであり、容器本体、台座部、台座部の穴部分、支持具の数や形状、寸法、素材は適宜変更することができる。支持具に関し、直線状の長尺部材の本数を増やしたものや、変形させた長尺部材からなるもの、連結体として、より本数の多い長尺部材で構成した放射状のものや、編み目状のもの、図９に示すＴ字型のもの等が挙げられる。図９の土鍋４０では、台座部４１に形成された第１、第２、及び第３の穴部分４２、４３、４４に、Ｔ字型に構成した支持具４５の外端部分ｆが挿入され、発熱プレート３が当該支持具４５によって当接支持されている。図１０に示すように、支持具５０をＹ字型とした土鍋５１の場合、長穴状の穴部分を形成せず、当該支持具５０の各外端部分ｇをそれぞれ第１、第２、及び第３の穴部分５２、５３、５４に単に引っ掛けるようにしてもよい。引っ掛け部である複数の穴部分は、支持具の形態に対応するように形成すればよい。台座部の複数の穴部分は、径方向に貫通させたものでもよく、この場合、当該複数の穴部分を形成し易くなり、製造コストを抑えることができる。台座部は、上記実施形態のように環状に構成されたものの他、周方向に所要間隔をおいた複数の足部で構成されたものでもよい。
【符号の説明】
【００４０】
１、２０、３０、４０、５１    土鍋
２    容器本体
３、３５    発熱プレート
４    固定手段
５    底部分
７    収容空間
８、２１、４１    台座部
１０〜１３  第１〜第４の穴部分
１５、２５  支持具
１６  第１の長尺部材
１７  第２の長尺部材
２２〜２４  第１〜第３の穴部分
２６〜２８  第１〜第３の長尺部材
３１〜３４  第１〜第４の穴部分
３６  第１の長尺部材
３７  第２の長尺部材
【図１】
2012157601.tif 000003
【図２】
2012157601.tif 000004
【図３】
2012157601.tif 000005
【図４】
2012157601.tif 000006
【図５】
2012157601.tif 000007
【図６】
2012157601.tif 000008
【図７】
2012157601.tif 000009
【図８】
2012157601.tif 000010
【図９】
2012157601.tif 000011
【図１０】
2012157601.tif 000012